(57)【要約】【課題】ブラシレス励磁方式によるサイリスタ始動が可能、かつ定格運転時に直流で制御可能な誘導型ブラシレス交流励磁システムを提供する。【解決手段】実施形態の誘導型ブラシレス交流励磁システムは、三相交流電源、第１整流装置及び第１切替接続手段を備えている。前記三相交流電源は、三相交流出力を発生する。前記第１整流装置は、前記三相交流出力を整流して直流電流を前記誘導型ブラシレス交流励磁機の界磁巻線に供給するための整流装置である。前記第１切替接続手段は、前記発電機の始動時には前記三相交流電源と前記誘導型ブラシレス交流励磁機の界磁巻線とを接続し、前記発電機の定格回転速度時には前記接続を開状態に切替えて、前記第１整流装置の入力側と前記三相交流電源の三相のうち二相とを接続する。【選択図】図１
2013236480.tif 000002
【特許請求の範囲】
【請求項１】
サイリスタ始動システムにより始動される発電機と、前記発電機の回転子に連結された回転子を有する誘導型ブラシレス交流励磁機と、前記発電機の回転子に取り付けられ、前記誘導型ブラシレス交流励磁機にて発生した交流出力を整流して前記発電機の界磁巻線に供給する回転整流器とを備えた誘導型ブラシレス交流励磁システムであって、
三相交流出力を発生する三相交流電源と、
前記三相交流出力を整流して直流電流を前記誘導型ブラシレス交流励磁機の界磁巻線に供給するための第１整流装置と、
前記発電機の始動時から低速回転時には前記三相交流電源と前記誘導型ブラシレス交流励磁機の三相の界磁巻線とを接続し、前記発電機の定格回転速度時には前記接続を開状態に切替えて、前記第１整流装置の入力側と前記三相交流電源の三相のうち二相とを接続する第１切替接続手段と、
を備えたことを特徴とする誘導型ブラシレス交流励磁システム。
【請求項２】
請求項１に記載の誘導型ブラシレス交流励磁システムにおいて、
前記第１切替接続手段は、前記発電機の定格回転速度時には、前記誘導型交流ブラシレス励磁機の界磁巻線の三相のうち二相を前記第１整流装置の出力側で短絡し、且つ前記短絡した二相と前記第１整流装置の出力側とを更に接続することを特徴とする誘導型ブラシレス交流励磁システム。
【請求項３】
請求項１又は請求項２に記載の誘導型ブラシレス交流励磁システムにおいて、
前記誘導型ブラシレス交流励磁機の回転子に連結された回転子と、この回転子に設けられ、前記回転整流器から供給される直流電流の一部が供給される界磁巻線とを有する回転電機子型の交流励磁機と、
前記回転電機子型の交流励磁機にて発生した交流出力を整流して前記誘導型ブラシレス交流励磁機の界磁巻線に供給する第２整流装置と、
を更に備えたことを特徴とする誘導型ブラシレス交流励磁システム。
【請求項４】
請求項１又は請求項２に記載の誘導型ブラシレス交流励磁システムにおいて、
前記誘導型ブラシレス交流励磁機の回転子に連結された回転子と、この回転子に設けられた永久磁石とを有する永久磁石発電機と、
前記永久磁石発電機にて発生した交流出力を整流して前記誘導型ブラシレス交流励磁機の界磁巻線に供給するための第３整流装置と、
前記発電機の始動時から低速回転時には前記第３整流装置の出力側と前記誘導型ブラシレス交流励磁機の界磁巻線とを開放し、前記発電機の定格回転速度時には前記第３整流装置の出力側と前記誘導型ブラシレス交流励磁機の界磁巻線とを接続する開閉手段と、
を更に備えたことを特徴とする誘導型ブラシレス交流励磁システム。
【請求項５】
請求項２に記載の誘導型ブラシレス交流励磁システムにおいて、
前記第１切替接続手段に代えて、
前記発電機の始動時から低速回転時には前記三相交流電源と前記誘導型ブラシレス交流励磁機の界磁巻線とを接続し、前記発電機の定格回転速度時には前記接続を開状態に切替えて、前記第１整流装置の入力側の三相のうちの二相と、前記三相交流電源の三相のうちの二相とを接続する第２切替接続手段、
を備えたことを特徴とする誘導型ブラシレス交流励磁システム。
【請求項６】
請求項５に記載の誘導型ブラシレス交流励磁システムにおいて、
前記誘導型ブラシレス交流励磁機の回転子に連結された回転子と、この回転子に設けられ、前記回転整流器から供給される直流電流の一部が供給される界磁巻線とを有する回転電機子型の交流励磁機と、
前記回転電機子型の交流励磁機にて発生した交流出力を整流して前記誘導型ブラシレス交流励磁機の界磁巻線に供給する第２整流装置と、
を更に備えたことを特徴とする誘導型ブラシレス交流励磁システム。
【請求項７】
請求項５に記載の誘導型ブラシレス交流励磁システムにおいて、
前記誘導型ブラシレス交流励磁機の回転子に連結された回転子と、この回転子に設けられた永久磁石とを有する永久磁石発電機と、
前記永久磁石発電機にて発生した交流出力を整流して前記誘導型ブラシレス交流励磁機の界磁巻線に供給するための第３整流装置と、
前記発電機の始動時から低速回転時には前記第３整流装置の出力側と前記誘導型ブラシレス交流励磁機の界磁巻線とを開放し、前記発電機の定格回転速度時には前記第３整流装置の出力側と前記誘導型ブラシレス交流励磁機の界磁巻線とを接続する開閉手段と、
を更に備えたことを特徴とする誘導型ブラシレス交流励磁システム。
【発明の詳細な説明】
【技術分野】
【０００１】
本発明の実施形態は、誘導型ブラシレス交流励磁システムに関する。
【背景技術】
【０００２】
一般に、同期発電機は回転子界磁巻線に直流電流を供給し、回転子側で作る磁束により発生する誘導起電力を固定子側で出力する。回転子界磁巻線に直流電流を供給し励磁する代表的な手法としてサイリスタ励磁方式とブラシレス交流励磁方式がある。
【０００３】
サイリスタ励磁方式は、外部からの直流電流を回転体上のスリップリングへブラシを接触させることで発電機の界磁巻線へ直流電流を供給し励磁する。
【０００４】
ブラシレス交流励磁方式は、主機である発電機界磁巻線に直結された回転電機子形の交流励磁機の電機子巻線からの交流出力を同一回転軸上に取り付けられた回転整流器で直流に変換し、スリップリング、ブラシを使用せずに発電機の界磁巻線へ直流電流を供給し励磁する。
【０００５】
各励磁方式にはそれぞれ利点がある。例えば、サイリスタ励磁方式では、ブラシレス励磁方式に比べて発電機の軸長が短くなるという利点がある。
【０００６】
一方、ブラシレス励磁方式では、サイリスタ励磁方式と比べてブラシを使用しないことからメンテナンスが容易であるという利点と、励磁容量が少量のために励磁盤を簡素化できるという利点がある。
【先行技術文献】
【特許文献】
【０００７】
【特許文献１】特開平７−２４５９９８号公報
【発明の概要】
【発明が解決しようとする課題】
【０００８】
従来、ガスタービンでは、電動機とトルクコンバータによる始動方式が用いられてきた。近年、ガスタービンの単機大容量化に伴い、従来の始動方式では、トルクコンバータが大容量化し実現することが困難になってきた。ガスタービンは一定以上の回転数でコンプレッサが動作するため、回転数が一定数に達しないと動作しない。そのため、ガスタービンでは始動方法が問題となる。
【０００９】
一般に、ガスタービンではサイリスタ始動方式が用いられる。サイリスタ始動方式とは、低速回転時に発電機を同期に引き入れ、発電機の電機子電流の周波数をインバータ装置で徐々に上昇させて回転子の回転数を同期速度まで上昇させる方式である。サイリスタ起動方式はブラシ、スリップリングを用いるため、ブラシレス励磁方式の適用が望まれる。
【００１０】
しかしながら、ブラシレス励磁方式は、ガスタービンのように発電機を電動機として始動する場合、始動時に回転電機子型の交流励磁機および永久磁石が静止しており、電圧が発生しないため、発電機界磁巻線に励磁電流を供給できず、発電機を励磁できないことからサイリスタ始動には用いることができない。
【００１１】
とは言え、前述したように、ブラシレス励磁方式は、ブラシを使わないためメンテナンスが容易である利点と、サイリスタ励磁方式に比べ励磁容量が小量のため励磁盤の簡素化が可能な利点がある。また、直流を制御する自動電圧調整装置を用いることが望まれるため、発電機の定格運転時は直流で制御することが望ましい。
【００１２】
本発明は上記実情を考慮してなされたもので、ブラシレス励磁方式によるサイリスタ始動が可能、かつ定格運転時に直流で制御可能な誘導型ブラシレス交流励磁システムを提供することを目的とする。
【課題を解決するための手段】
【００１３】
実施形態の誘導型ブラシレス交流励磁システムは、発電機、誘導型ブラシレス交流励磁機及び回転整流器を備えている。
【００１４】
前記発電機は、サイリスタ始動システムにより始動される。
【００１５】
前記誘導型ブラシレス交流励磁機は、前記発電機の回転子に連結された回転子を有する。
【００１６】
前記回転整流器は、前記発電機の回転子に取り付けられ、前記誘導型ブラシレス交流励磁機にて発生した交流出力を整流して前記発電機の界磁巻線に供給する。
【００１７】
ここで、前記誘導型ブラシレス交流励磁システムは、三相交流電源、第１整流装置及び第１切替接続手段を備えている。
【００１８】
前記三相交流電源は、三相交流出力を発生する。
【００１９】
前記第１整流装置は、前記三相交流出力を整流して直流電流を前記誘導型ブラシレス交流励磁機の界磁巻線に供給するための整流装置である。
【００２０】
前記第１切替接続手段は、前記発電機の始動時には前記三相交流電源と前記誘導型ブラシレス交流励磁機の三相の界磁巻線とを接続し、前記発電機の定格回転速度時には前記接続を開状態に切替えて、前記第１整流装置の入力側と前記三相交流電源の三相のうち二相とを接続する。
【発明の効果】
【００２１】
以上、説明したように本発明によれば、ブラシレス励磁方式によるサイリスタ始動が可能、かつ定格運転時に直流で制御可能な誘導型ブラシレス交流励磁システムを提供できる。
【図面の簡単な説明】
【００２２】
【図１】第１の実施形態に係る誘導型ブラシレス交流励磁機システムの電気回路の構成を示す模式図である。
【図２】同実施形態における誘導型ブラシレス交流励磁機システムの各装置の配置を示す模式図である。
【図３】同実施形態における低速回転時（始動時を含む）と定格回転速度時の電気回路の接続を示す模式図である。
【図４】第２の実施形態に係る誘導型ブラシレス交流励磁機システムの電気回路の構成を示す模式図である。
【図５】同実施形態における誘導型ブラシレス交流励磁機システムの各装置の配置を示す模式図である。
【図６】第３の実施形態に係る誘導型ブラシレス交流励磁機システムの電気回路の構成を示す模式図である。
【図７】同実施形態における誘導型ブラシレス交流励磁機システムの各装置の配置を示す模式図である。
【図８】第４の実施形態に係る誘導型ブラシレス交流励磁機システムの電気回路の構成を示す模式図である。
【図９】同実施形態における低速回転時（始動時を含む）と定格回転速度時の電気回路の接続を示す模式図である。
【図１０】第５の実施形態に係る誘導型ブラシレス交流励磁機システムの電気回路の構成を示す模式図である。
【図１１】第６の実施形態に係る誘導型ブラシレス交流励磁機システムの電気回路の構成を示す模式図である。
【発明を実施するための形態】
【００２３】
以下、各実施形態について図面を用いて説明する。
【００２４】
＜第１の実施形態＞
図１及び図２は第１の実施形態に係る誘導型ブラシレス交流励磁機システムの電気回路の構成及び各装置の配置を示す模式図であり、図３は低速回転時（始動時を含む）と定格回転速度時の電気回路の接続を示す模式図である。図１に示すように、この誘導型ブラシレス交流励磁機システムは、発電機１、回転整流器２、誘導型ブラシレス励磁機３、三相交流電源４、第１整流装置５、開閉器６及び３つの接続切替器７〜９を備えている。なお、開閉器６及び３つの接続切替器７〜９は、第１切替接続手段を構成している。
【００２５】
ここで、発電機１は、界磁巻線１ｆ及び電機子巻線１ａを有し、サイリスタ始動システムにより始動される。なお、本明細書中、添字の“ｆ”は界磁巻線を表し、添字の“ａ”は電機子巻線を表す。
【００２６】
回転整流器２は、発電機１の回転子に取り付けられ、誘導型ブラシレス交流励磁機３にて発生した交流出力を整流して発電機１の界磁巻線１ｆに供給する。なお、発電機１の界磁巻線１ｆ及び回転整流器２が設けられた回転子と、誘導型ブラシレス励磁機３の電機子巻線３ｆが設けられた回転子とは、同一回転軸の回転部ｒを構成している。
【００２７】
誘導型ブラシレス励磁機３は、回転電機子型の電動機であり、三相の界磁巻線３ｆ及び電機子巻線３ａを有し、発電機１の回転子に連結された回転子を備えている。
【００２８】
三相交流電源４は、三相交流出力を発生する。
【００２９】
第１整流装置５は、三相交流出力を整流して直流電流を誘導型ブラシレス交流励磁機３の界磁巻線３ｆに供給するための整流装置である。
【００３０】
開閉器６及び接続切替器７，８は、発電機１の始動時から低速回転時には三相交流電源４と誘導型ブラシレス交流励磁機３の三相の界磁巻線３ｆとを接続し、発電機１の定格回転速度時には当該接続を開状態に切替えて、第１整流装置５の入力側と三相交流電源４の三相のうち二相とを接続する。
【００３１】
接続切替器９は、発電機１の定格回転速度時には、誘導型交流ブラシレス励磁機３の界磁巻線３ｆの三相のうち二相を第１整流装置５の出力側で短絡し、且つ当該短絡した二相と第１整流装置５の出力側とを更に接続する。
【００３２】
次に、以上のように構成された誘導型ブラシレス交流励磁機システムの作用について説明する。
【００３３】
発電機１の始動時には、図３の左側に示すように、誘導型ブラシレス交流励磁機３の界磁巻線３ｆを三相巻線として使用する。誘導型ブラシレス交流励磁機３の三相巻線に固定側と逆の交流磁界が発生するような構成とする。この回転磁界により誘導型ブラシレス励磁機３の回転側に交流出力が発生し、交流出力を回転整流器２で整流し発電機を励磁する。
【００３４】
このとき、発電機１の電機子巻線１ａに低周波電流を入力し低速回転時に同期化する。しかる後、発電機１の定格回転速度まで上昇させる。
【００３５】
定格回転速度時には、図３の右側に示すように、誘導型ブラシレス交流励磁機３の界磁巻線３ｆの接続を切り替えることにより、三相交流電流４を整流し、直流電流を誘導型ブラシレス交流励磁機３の界磁巻線３ｆへ供給することで直流での制御が可能となる。
【００３６】
上述したように本実施形態によれば、図３に示すように、発電機１の始動時から低速回転時には三相交流電源４と誘導型ブラシレス交流励磁機３の三相の界磁巻線３ｆとを接続し、発電機１の定格回転速度時には当該接続を開状態に切替えて、第１整流装置５の入力側と三相交流電源４の三相のうち二相とを接続すると共に、誘導型交流ブラシレス励磁機３の界磁巻線３ｆの三相のうち二相を第１整流装置５の出力側で短絡し、且つ当該短絡した二相と第１整流装置５の出力側とを更に接続する構成により、ブラシレス励磁方式によるサイリスタ始動が可能、かつ定格運転時に直流で制御可能な誘導型ブラシレス交流励磁システムを提供できる。
【００３７】
補足すると、発電機１の始動時から低速回転時には誘導型ブラシレス交流励磁機３の界磁巻線３ｆを三相巻線とし固定側と逆の回転磁界が発生する構造とし、発電機１の定格回転速度時には誘導型ブラシレス交流励磁機３の界磁巻線３ｆに直流電流を加える構造とすることにより、直流を制御する自動電圧調整装置（ＡＶＲ）でも使用可能なブラシレス励磁方式によるサイリスタ起動方式の誘導型ブラシレス交流励磁システムを提供できる。
【００３８】
また、本実施形態によれば、誘導型ブラシレス交流励磁システムを提供することでブラシレス励磁方式でのサイリスタ始動、かつ定格回転速度時の直流での制御が可能となり、サイリスタ起動方式でブラシのメンテナンスが不要となり、励磁容量が少量のため励磁盤の簡素化が可能となる。
【００３９】
＜第２の実施形態＞
図４及び図５は第２の実施形態に係る誘導型ブラシレス交流励磁機システムの電気回路の構成及び各装置の配置を示す模式図であり、前述した図面と同一部分には同一符号を付してその詳しい説明を省略し、ここでは異なる部分について主に述べる。
【００４０】
第２の実施形態は、第１の実施形態の変形例であり、図１及び図２に示した構成に加え、回転電機子型の交流励磁機１０と、第２整流装置１１とを更に備えている。
【００４１】
ここで、回転電機子型の交流励磁機１０は、誘導型ブラシレス交流励磁機３の回転子に連結された回転子と、この回転子に設けられ、回転整流器２から供給される直流電流の一部が供給される界磁巻線１０ｆとを有している。また、この交流励磁機１０は、固定子に設けられた電機子巻線１０ａを有している。また、発電機１の界磁巻線１ｆ及び回転整流器２が設けられた回転子と、誘導型ブラシレス励磁機３の電機子巻線３ｆが設けられた回転子とは、回転電機子型の交流励磁機１０の界磁巻線１０ｆが設けられた回転子とは、同一回転軸の回転部ｒを構成している。
【００４２】
第２整流装置１１は、回転電機子型の交流励磁機１０にて発生した交流出力を整流して誘導型ブラシレス交流励磁機３の界磁巻線３ｆに供給する整流装置である。
【００４３】
次に、以上のように構成された誘導型ブラシレス交流励磁機システムの作用について説明する。
【００４４】
誘導型ブラシレス交流励磁方式のサイリスタ始動における発電機１の始動方式、誘導型ブラシレス交流励磁機３の界磁巻線３ｆの接続は第１の実施形態と同様である。
【００４５】
一方、発電機１の定格回転速度時には、誘導型ブラシレス交流励磁機３からの交流出力を整流し発電機１の界磁巻線１ｆに入力される直流電流の一部を回転電機子型の交流励磁機１０の界磁巻線１０ｆに入力し、回転電機子型の交流励磁機１０からの交流出力を整流し誘導型ブラシレス交流励磁機３の界磁巻線３ｆに直流電流を供給する。
【００４６】
上述したように本実施形態によれば、第１の実施形態の効果に加え、発電機１の定格回転速度時に、回転電機子型の交流励磁機１０からの交流出力を整流し誘導型ブラシレス交流励磁機３の界磁巻線３ｆに直流電流を供給することができる。
【００４７】
＜第３の実施形態＞
図６及び図７は第３の実施形態に係る誘導型ブラシレス交流励磁機システムの電気回路の構成及び各装置の配置を示す模式図である。
【００４８】
第３の実施形態は、第１の実施形態の変形例であり、図１及び図２に示した構成に加え、永久磁石発電機２０、第３整流装置２１及び２つの開閉器２２を更に備えている。
【００４９】
ここで、永久磁石発電機２０は、誘導型ブラシレス交流励磁機３の回転子に連結された回転子と、この回転子に設けられた永久磁石（ＰＭ：Permanent magnet）２０ｐとを有する。また、永久磁石発電機２０は、固定子に設けられた電機子巻線２０ａを有している。また、発電機１の界磁巻線１ｆ及び回転整流器２が設けられた回転子と、誘導型ブラシレス励磁機３の電機子巻線３ｆが設けられた回転子とは、永久磁石発電機２０の永久磁石２０ｐが設けられた回転子とは、同一回転軸の回転部ｒを構成している。
【００５０】
第３整流装置２１は、永久磁石発電機２０にて発生した交流出力を整流して誘導型ブラシレス交流励磁機３の界磁巻線３ｆに供給するための整流装置である。
【００５１】
開閉器２２は、発電機１の始動時から低速回転時には第３整流装置２１の出力側と誘導型ブラシレス交流励磁機３の界磁巻線３ｆとを開放し、発電機１の定格回転速度時には第３整流装置２１の出力側と誘導型ブラシレス交流励磁機３の界磁巻線３ｆとを接続する。
【００５２】
次に、以上のように構成された誘導型ブラシレス交流励磁機システムの作用について説明する。
【００５３】
誘導型ブラシレス交流励磁方式のサイリスタ始動における発電機１の始動方式、誘導型ブラシレス交流励磁機３の界磁巻線１ｆの接続は第１の実施形態と同様である。
【００５４】
一方、発電機１の定格回転速度時には、永久磁石発電機２０からの交流出力を整流し誘導型ブラシレス交流励磁機３の界磁巻線３ｆへ直流電流を供給する。
【００５５】
上述したように本実施形態によれば、第１の実施形態の効果に加え、発電機１の定格回転速度時に、永久磁石発電機２０からの交流出力を整流し誘導型ブラシレス交流励磁機３の界磁巻線３ｆに直流電流を供給することができる。
【００５６】
＜第４の実施形態＞
図８は第４の実施形態に係る誘導型ブラシレス交流励磁機システムの電気回路の構成を示す模式図であり、図９は低速回転時（始動時を含む）と定格回転速度時の電気回路の接続を示す模式図である。
【００５７】
第４の実施形態は、第１の実施形態の変形例であり、図１及び図３に示した開閉器６及び接続切替器７〜９（第１切替接続手段）に代えて、開閉器３０及び２つの接続切替器３１，３２（第２切替接続手段）を備えている。
【００５８】
ここで、開閉器３０及び接続切替器３１，３２は、発電機１の始動時から低速回転時には三相交流電源４と誘導型ブラシレス交流励磁機３の界磁巻線３ｆとを接続し、発電機１の定格回転速度時には当該接続を開状態に切替えて、第１整流装置５の入力側の三相のうちの二相と、三相交流電源４の三相のうちの二相とを接続する。
【００５９】
次に、以上のように構成された誘導型ブラシレス交流励磁機システムの作用について説明する。
【００６０】
発電機１の始動時には、図９の左側に示すように、誘導型ブラシレス交流励磁機３の界磁巻線５を三相巻線として使用する。誘導型ブラシレス交流励磁機３の三相巻線に固定側と逆の交流磁界が発生するような構成とする。この回転磁界により誘導型ブラシレス励磁機３の回転側に交流出力が発生し、交流出力を回転整流器２で整流し発電機を励磁する。
【００６１】
このとき、発電機１の電機子巻線１ａに低周波電流を入力し低速回転時に同期化する。しかる後、発電機１の定格回転速度まで上昇させる。
【００６２】
定格回転速度時には、図９の右側に示すように、誘導型ブラシレス交流励磁機３の界磁巻線３ｆの接続を切り替えることにより、三相交流電流４を整流し、直流電流を誘導型ブラシレス交流励磁機３の界磁巻線３ｆへ供給することで直流での制御が可能となる。
【００６３】
ここで、図９の右側に示した二相の直列巻線とすることで、図３の右側に示した二相の並列巻線と一層の巻線とを直列接続した三相の直並列巻線と比較してブラシレス交流励磁機３の界磁巻線３ｆへの入力電流が少量となる。
【００６４】
上述したように本実施形態によれば、図９に示すように、発電機１の始動時から低速回転時には三相交流電源４と誘導型ブラシレス交流励磁機３の界磁巻線３ｆとを接続し、発電機１の定格回転速度時には当該接続を開状態に切替えて、第１整流装置５の入力側の三相のうちの二相と、三相交流電源４の三相のうちの二相とを接続する構成により、第１の実施形態の効果に加え、ブラシレス交流励磁機３の界磁巻線３ｆへの入力電流を少量とすることができる。
【００６５】
＜第５の実施形態＞
図１０は第５の実施形態に係る誘導型ブラシレス交流励磁機システムの電気回路の構成を示す模式図である。
【００６６】
第５の実施形態は、第２の実施形態と第４の実施形態とを組合せた例であり、図４に示した開閉器６及び接続切替器７〜９（第１切替接続手段）に代えて、開閉器３０及び２つの接続切替器３１，３２（第２切替接続手段）を備えている。
【００６７】
以上のような構成によれば、第２の実施形態の効果と、第４の実施形態の効果とを同時に得ることができる。
【００６８】
＜第６の実施形態＞
図１１は第６の実施形態に係る誘導型ブラシレス交流励磁機システムの電気回路の構成を示す模式図である。
【００６９】
第６の実施形態は、第３の実施形態と第４の実施形態とを組合せた例であり、図６に示した開閉器６及び接続切替器７〜９（第１切替接続手段）に代えて、開閉器３０及び２つの接続切替器３１，３２（第２切替接続手段）を備えている。
【００７０】
以上のような構成によれば、第３の実施形態の効果と、第４の実施形態の効果とを同時に得ることができる。
【００７１】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１…発電機、１ｆ，３ｆ，１０ｆ…界磁巻線、１ａ，３ａ，１０ａ，２０ａ…電機子巻線、２…回転整流器、３…誘導型ブラシレス励磁機、４…三相交流電源、５，１１…整流装置、６，２２…開閉器、７〜９…接続切替器、１０…回転電機子型の交流励磁機、２０…永久磁石発電機。
【図１】
2013236480.tif 000003
【図２】
2013236480.tif 000004
【図３】
2013236480.tif 000005
【図４】
2013236480.tif 000006
【図５】
2013236480.tif 000007
【図６】
2013236480.tif 000008
【図７】
2013236480.tif 000009
【図８】
2013236480.tif 000010
【図９】
2013236480.tif 000011
【図１０】
2013236480.tif 000012
【図１１】
2013236480.tif 000013